(57)【特許請求の範囲】
【請求項１】
雄コネクタと雌コネクタを備えたコネクタセットであって、
前記雄コネクタにおいて、
ベースハウジンクに収容された２本のピンコンタクトが、前記ベースハウジングの中心線と平行して前記ベースハウジングの開口部に突出する接触ピン部と、前記ベースハウジンクから延出してプリント配線板にはんだ付けされるリード部とを有し、
前記ベースハウジング内に、前記両接触ピン部の中間に配設され、かつ、前記両接触ピン部の先端よりも長く突出する隔壁が設けられ、
前記両リード部は、互いに横外側方へ屈曲して延出し、そのはんだ付け部分のピッチが前記両接触ピン部のピッチよりも大きく形成され、
第１係止部が前記ベースハウジングの両側壁の内側面に設けられ、
第２係止部が前記ベースハウジングの天板の左右方向の少なくとも一部にわたって前記天板から上方に突出して設けられ、前記第２係止部の後面の少なくとも上部が、空間を挟んで前記ベースハウジングの天板と鈍角をなし、
前記雌コネクタにおいて、
ソケットコンタクトを収容するソケットハウジングが、欠除部を有する二股状に形成されているとともに、第１係止手段を有し、
さらに、第２係止手段が設けられており、
当該コネクタセットにおいて、
前記雄コネクタの前記隔壁に前記雌コネクタの前記欠除部が係合するように、前記雄コネクタの前記開口部に前記雌コネクタが挿入して嵌合されることにより、前記雄コネクタの前記接触ピン部に前記雌コネクタの前記ソケットコンタクトが嵌合するとともに、前記雄コネクタの前記第１係止部に前記雌コネクタの前記第１係止手段が係合し、かつ、前記雄コネクタの前記第２係止部に前記雌コネクタの前記第２係止手段が係合するコネクタセット。
【請求項２】
請求項１に記載のコネクタセットが備えている雄コネクタ。
【請求項３】
請求項２に記載の雄コネクタにおいて、
前記隔壁の両側面の少なくとも一部が、先細の楔形を形成するテーパ面により形成されている雄コネクタ。
【請求項４】
請求項２に記載の雄コネクタにおいて、
前記隔壁の両側面の全部が、先細の楔形を形成するテーパ面により形成されている雄コネクタ。
【請求項５】
請求項２に記載の雄コネクタにおいて、
前記隔壁の両側面が、前記ベースハウジングの中心線と平行に延びる基部平行面と、その基部平行面に連続し、先細の楔形を形成するテーパ面とにより形成されている雄コネクタ。
【請求項６】
請求項２に記載の雄コネクタにおいて、
前記第２係止部が、前記ベースハウジングの天板の左右方向全体にわたって前記天板から上方に突出している雄コネクタ。
【請求項７】
請求項２に記載の雄コネクタにおいて、
前記第２係止部が、前記ベースハウジングの天板における前記開口部側に設けられている雄コネクタ。
【請求項８】
請求項２に記載の雄コネクタにおいて、
前記第２係止部の前面が、後方にいくほど高くなる斜面である雄コネクタ。
【請求項９】
請求項２に記載の雄コネクタにおいて、
前記第２係止部が前記ベースハウジングの一部として一体に形成されている雄コネクタ。
【請求項１０】
請求項１に記載のコネクタセットが備えている雌コネクタ。
【請求項１１】
請求項１０に記載の雌コネクタにおいて、請求項５に記載の雄コネクタの前記開口部に挿入して嵌合される雌コネクタであって、
前記欠除部の相対向する両側面が、前記隔壁の前記基部平行面に対応する開口部平行面と、その開口部平行面に連続し、前記隔壁の前記テーパ面に対応して内奥に向け漸次幅狭になるテーパ面とにより形成されている雌コネクタ。
【請求項１２】
請求項１０に記載の雌コネクタにおいて、
前記ソケットコンタクトが、前記接触ピン部に嵌合するように延出するソケット部を有し、
前記ソケットハウジングが前記第２係止手段を有し、その第２係止手段が、前記ソケット部と平行に延出する可動部と、前記ソケットハウジングの天板から上方に延出して、前記可動部の前後方向の中間を左右方向に延びる支軸で支持する脚部とをもち、
前記開口部に挿入して嵌合されると、前記第２係止手段の可動部の先端部から下方に突出して設けられた爪が、前記第２係止部を乗り越えて係合することにより抜け止めされ、
前記可動部の後端部が下方に押圧されると、前記可動部が前記支軸を中心に回転して前記先端部の爪が上方に移動することにより前記抜け止めが解除される雌コネクタ。
【請求項１３】
請求項１２に記載の雌コネクタにおいて、
前記第２係止手段が前記ソケットハウジングの一部として一体に形成されている雌コネクタ。
【請求項１４】
請求項２に記載の雄コネクタと、
請求項１２に記載の雌コネクタであって、前記先端部の爪が前記第２係止部に係合した状態で、前記先端部の爪の後面が、後回りに測定して前記ソケットハウジングの天板と鈍角をなす雌コネクタとを備えたコネクタセット。
【発明の詳細な説明】
【技術分野】
【０００１】
本発明は、抜け止め機構をもつコネクタに関するものである。
【背景技術】
【０００２】
従来、例えば高電圧に対応したコネクタにおいて、雄コネクタと雌コネクタが正しく嵌合されると、雌コネクタに接続された電線が不慮に引っ張られるようなことがあっても雌コネクタが雄コネクタから抜けないように、抜け止め機構をもつものがある（特許文献１参照）。ここで、抜け止め機構は、雄コネクタの係止溝および雌コネクタの係止突片からなる。
【特許文献１】特許第３２６２７２６号公報（段落００１９、図９の係止溝１１および係止突片２８）
【発明の開示】
【発明が解決しようとする課題】
【０００３】
しかし、抜け止め機構が１つ（１組）では、抜け止めの効果が今一つ十分ではなかった。
【０００４】
本発明は前記従来の問題に鑑みなされたもので、抜け止め機構をもつコネクタにおいて、抜け止めの効果を向上させたものを提供することを目的としている。
【課題を解決するための手段】
【０００５】
前記目的を達成するために、本発明の第１構成にかかる雄コネクタは、ベースハウジンクに収容された２本のピンコンタクトが、前記ベースハウジングの中心線と平行して前記ベースハウジングの開口部に突出する接触ピン部と、前記ベースハウジンクから延出してプリント配線板にはんだ付けされるリード部とを有し、前記開口部に他の雌コネクタが挿入して嵌合される。前記ベースハウジング内に、前記両接触ピン部の中間に配設され、かつ、前記両接触ピン部の先端よりも長く突出する隔壁が設けられている。前記両リード部は、互いに横外側方へ屈曲して延出し、そのはんだ付け部分のピッチが前記両接触ピン部のピッチよりも大きく形成されている。前記雌コネクタの第１係止手段を係合させる第１係止部が前記ベースハウジングの両側壁の内側面に設けられている。さらに、前記雌コネクタの第２係止手段を係合させる第２係止部が設けられている。
【０００６】
第１構成の雄コネクタによれば、複数の抜け止め機構として第１係止部および第２係止部が設けられているので、抜け止めの効果が向上している。
【０００７】
第１構成の雄コネクタにおいては、前記ベースハウジングが前記第２係止部を有し、その第２係止部が、前記ベースハウジングの天板の左右から上方に突出していることが好ましい。
【０００８】
この構成に代えて、第１構成の雄コネクタにおいては、前記ベースハウジングが前記第２係止部を有し、その第２係止部に、前記接触ピン部と平行に貫通する貫通孔が設けられていてもよい。
【０００９】
前記構成に代えて、第１構成の雄コネクタにおいては、前記ベースハウジングが前記第２係止部を有し、その第２係止部が、前記ベースハウジングの天板の左右方向の少なくとも一部にわたって前記天板から上方に突出していてもよい。この場合、前記第２係止部は、前記ベースハウジングの天板の左右方向全体にわたって前記天板から上方に突出していてもよい。また、前記第２係止部は、前記ベースハウジングの天板における前記開口部側に設けられていることが好ましく、前記第２係止部の前面が、後方にいくほど高くなる斜面であることが好ましい。さらに、前記第２係止部の後面の少なくとも上部が、空間を挟んで前記ベースハウジングの天板と鈍角または直角をなすことが好ましく、鈍角をなすことが特に好ましい。
【００１０】
これらの第２係止部は、前記ベースハウジングの一部として一体に形成されていることが好ましい。
【００１１】
以上の構成に代えて、第１構成の雄コネクタにおいては、前記ピンコンタクトが前記第２係止部を有し、その第２係止部が前記接触ピン部と平行に延出し先端部が側方に延出していてもよい。この第２係止部は、前記接触ピン部と一体に形成されていることが好ましい。
【００１２】
本発明の第２構成にかかる雌コネクタは、前記第１構成の雄コネクタの前記開口部に挿入して嵌合される。前記接触ピン部に嵌合するソケットコンタクトを収容するソケットハウジングが、前記隔壁に係合する欠除部を有する二股状に形成されているとともに、前記第１係止部に係合する第１係止手段を有している。さらに、前記第２係止部に係合する第２係止手段が設けられている。
【００１３】
第２構成の雌コネクタによれば、複数の抜け止め機構として第１係止手段および第２係止手段が設けられているので、抜け止めの効果が向上している。
【００１４】
第２構成の雌コネクタにおいては、以下の構成を有することが好ましい。前記ソケットコンタクトが、前記接触ピン部に嵌合するように延出するソケット部を有している。前記ソケットハウジングが前記第２係止手段を有し、その第２係止手段が、前記ソケット部と平行に延出する支軸部と、その支軸部の前部の左右から後方へ延出して左右方向に可撓である１対のアーム部とからなる。前記開口部に挿入して嵌合されると、前記第２係止手段のアーム部から外側に突出して設けられた爪が、前記第２係止部の後部に係合することにより抜け止めされる。前記アーム部の後部が互いに近づくように押圧されると、前記アーム部が撓んで前記アーム部の爪が内側に移動することにより前記抜け止めが解除される。
【００１５】
この構成に代えて、第２構成の雌コネクタにおいては、以下の構成を有してもよい。前記ソケットコンタクトが、前記接触ピン部に嵌合するように延出するソケット部を有している。前記ソケットハウジングが前記第２係止手段を有し、その第２係止手段が前記ソケット部と平行に延出して上下方向に可撓である。前記開口部に挿入して嵌合されると、前記第２係止手段の先端部から上方に突出して設けられた爪が、前記第２係止部の貫通孔を貫通して係合することにより抜け止めされる。前記第２係止手段の先端部が下方に押圧されると、前記第２係止手段が撓んで前記先端部の爪が下方に移動することにより前記抜け止めが解除される。
【００１６】
前記構成に代えて、第２構成の雌コネクタにおいては、以下の構成を有してもよい。前記ソケットコンタクトが、前記接触ピン部に嵌合するように延出するソケット部を有している。前記ソケットハウジングが前記第２係止手段を有し、その第２係止手段が、前記ソケット部と平行に延出する可動部と、前記ソケットハウジングの天板から上方に延出して前記可動部の前後方向の中間を左右方向に延びる支軸で支持する脚部とをもっている。前記開口部に挿入して嵌合されると、前記第２係止手段の可動部の先端部から下方に突出して設けられた爪が、前記第２係止部を乗り越えて係合することにより抜け止めされ、前記可動部の後端部が下方に押圧されると、前記可動部が前記支軸を中心に回転して前記先端部の爪が上方に移動することにより前記抜け止めが解除される。この場合、前記先端部の爪が前記第２係止部に係合した状態で、前記先端部の爪の後面の少なくとも下部が、後回りに測定して前記ソケットハウジングの天板と鋭角または直角をなすことが好ましい。
【００１７】
これらの第２係止手段は、前記ソケットハウジングの一部として一体に形成されていることが好ましい。
【００１８】
以上の構成に代えて、第２構成の雌コネクタにおいては、以下の構成を有してもよい。前記ソケットコンタクトが、前記接触ピン部に嵌合するように延出するソケット部と、そのソケット部と平行に延出し先端部が爪によって前記第２係止部の先端部に係合する前記第２係止手段とを有するとともに、前記ソケット部の延出方向に遊びをもって前記ソケットハウジングに収容される。前記開口部に挿入して嵌合されると、前記第２係止部の先端部に前記第２係止手段の先端部が係合することにより抜け止めされる。前記雄コネクタに対して前記抜け止めされた方向に前記ソケットハウジングが引かれると、前記遊びの範囲で前記ソケットコンタクトに対して移動され、内側に設けられた押圧部が前記第２係止手段の先端部を前記第２係止部の先端部から押し離すことにより、前記抜け止めが解除される。この第２係止手段は、前記ソケット部と一体に形成されていることが好ましい。
【００１９】
本発明の第３構成にかかるコネクタセットは、第１構成の雄コネクタとのうち、前記第２係止部の後面が、空間を挟んで前記ベースハウジングの天板と鋭角をなすものと、第２構成の雌コネクタのうち、前記第２係止手段の可動部の先端部の爪が前記第２係止部に係合した状態で、前記先端部の爪の後面の少なくとも下部が、後回りに測定して前記ソケットハウジングの天板と鋭角または直角をなすものとを組み合わせたコネクタセットである。第３構成のコネクタセットによれば、第１構成の雄コネクタ、第２構成の雌コネクタと同様の作用効果がある。
【００２０】
この構成に代えて、第３構成のコネクタセットにおいては、第１構成の雄コネクタのうち、前記第２係止部の後面の少なくとも上部が、空間を挟んで前記ベースハウジングの天板と鈍角または直角をなすものと、第２構成の雌コネクタのうち、前記第２係止手段の可動部の先端部の爪が前記第２係止部に係合した状態で、前記先端部の爪の後面が、後回りに測定して前記ソケットハウジングの天板と鈍角をなすものとを組み合わせてもよい。この場合にも、第１構成の雄コネクタ、第２構成の雌コネクタと同様の作用効果がある。
【発明を実施するための最良の形態】
【００２１】
まず、本発明の第１実施形態である雄コネクタについて説明する。図１の斜視図に示すように、この雄コネクタ１Ａは、前部が開口部５である箱状（扁平な四角筒形状）の絶縁性のベースハウジンク３Ａにピンコンタクト４を収容しており、開口部５には、後述する第２実施形態の雌コネクタ２Ａ（図２）が挿入、嵌合される。図３の平面断面図に示すように、ピンコンタクト４は、２本で、左右並列にベースハウジング３Ａに収容されており、ベースハウジング３Ａの後側壁６から中心線Ｃと平行に開口部５へ延出する接触ピン部１５と、リード部１７〜１９とを有している。リード部１７〜１９は、図８の側面断面図に示すように、後側壁６から下方へ延出してプリント配線板４３にはんだ付けされる。プリント配線板４３は、例えば、液晶画面の光源となるバックライトに電力を供給する電源回路およびインバータ回路のプリント配線を有している。
【００２２】
ベースハウジング３Ａには、図３に示すように、後側壁６の中央部分から開口部５に向けて突出する隔壁７が設けられていて、隔壁７は後述するようにピンコンタクト４，４の間に配設され、その接触ピン部１５，１５の先端１５ａ，１５ａよりも長く突出している。また、隔壁７の両側面は、ベースハウジング３Ａの中心線Ｃを基準に左右対称の形状になっており、ここでは、中心線Ｃと平行に延びる短い基部平行面８，８と、基部平行面８，８に連続し、先細の楔形を形成するテーパ面９，９とにより形成されている。ただし、前後方向における基部平行面８，８とテーパ面９，９との比率には特に限定はなく、例えば、先端７ａのごく近傍だけがテーパ面９，９で残部がすべて基部平行面８，８であってもよいし、全体がテーパ面９，９で基部平行面８，８はなくてもよい。
【００２３】
さらに、後側壁６に隣接する両側壁１０，１０の内側面には後述する雌コネクタ２Ａの第１係止手段（係止突片）２８，２８（図７）を係合させる第１係止部（係止溝）１１，１１が設けられているとともに、開口部５に隣接する両側壁１０，１０の内側面には案内溝１２，１２が設けられている。一方、後側壁６には後方へ延出する隔壁１３が設けられている。隔壁１３には、中空部分（肉抜き部分）１３ａがあってもよい。
【００２４】
ピンコンタクト４，４は、銅や銅合金（黄銅など）の導電性金属板を打抜き曲げ加工して作製され、図６の斜視図に示すように、接触ピン部１５の後端に幅広の取付部１６が連設されていて、その取付部１６の後部に連設されるリード部１７〜１９が、互いに反対向きの横外側へ屈曲したのち後方へ延びる中間部分１７と、その中間部分１７の後端から下方へ屈曲して延びる脚部分１８と、その脚部分１８の下端から前方へ屈曲して延びるはんだ付け部分１９とからなっている。そして、図３に示すように、両ピンコンタクト４，４は、その取付部１６，１６を後側壁６に貫通状態に保持固定させ、接触ピン部１５，１５が隔壁７を隔ててベースハウジング３Ａの中心線Ｃと平行に開口部５に向けて突出するとともに、はんだ付け部分１９，１９が互いに横外側方へ離反するように配置してベースハウジング３Ａに収容されている。
【００２５】
ベースハウジング３Ａに収容して配設された両ピンコンタクト４，４の接触ピン部１５，１５は、その先端１５ａ，１５ａが隔壁７の先端７ａよりも後側壁６側へ後退して位置しており、その結果、両接触ピン部１５，１５間のピッチを小さくしても、両先端１５ａ，１５ａ間の空間距離および沿面距離を十分長くすることができ、高電圧による障害を効果的に防止できるようになっている。また、両ピンコンタクト４，４のはんだ付け部分１９，１９間のピッチが両接触ピン部１５，１５間のピッチよりも大きくなっているので、両接触ピン部１５，１５間のピッチを小さくしても、両はんだ付け部分１９，１９間の空間距離が高電圧による障害を防止するのに十分な長さに確保されている。
【００２６】
さらに、後側壁６に設けた隔壁１３の存在により、両はんだ付け部分１９，１９間の沿面距離も十分の長さに確保されている。したがって、両接触ピン部１５，１５間のピッチを狭くしてベースハウジング３Ａを小さくし、雄コネクタ１Ａ全体を小型化しても、両ピンコンタクト４，４間の空間距離および沿面距離を十分長くすることが可能で、高電圧による障害を有効に防止できる構成となっている。
【００２７】
なお、図８に示すように、はんだ付け部分１９の底部ははんだ付けのためベースハウジング３Ａの底面よりわずかに突出している。また、図１に示すように、ベースハウジング３Ａの両側壁１０，１０の前端下部には補強金具２０，２０が埋設されている。補強金具２０の底部も、図８に示すように、はんだ付けのためベースハウジング３Ａの底面よりわずかに突出している。
【００２８】
この雄コネクタ１Ａには、前記第１係止部１１，１１（図３）に加え、図１に示すように、前記雌コネクタ２Ａの第２係止手段６０Ａ（図２）を係合させる第２係止部５０Ａが設けられている。より具体的には、ベースハウジング３Ａが１対の第２係止部５０Ａ，５０Ａを有し、その第２係止部５０Ａ，５０Ａは、角柱状で、ベースハウジング３Ａの一部として一体に形成されており、ベースハウジング３Ａの天板１４の前部左右から上方に突出している。
【００２９】
次に、本発明の第２実施形態であり、前記第１実施形態の雄コネクタ１Ａに挿入、嵌合される雌コネクタについて説明する。図２の斜視図に示すように、この雌コネクタ２Ａは、雄コネクタ１Ａの開口部５（図１）に挿入、嵌合される筒状体２４，２４を有する絶縁性のソケットハウジング２１Ａと、図７の平面断面図に示すように、２本の電線４５，４５端部に接続され、ソケットハウジング２１Ａに個別的に収容される２つのソケットコンタクト２２，２２とからなっている。両ソケットコンタクト２２は、電線４５を介して、例えば、液晶画面の光源となるバックライトの両端に接続されている。
【００３０】
ソケットハウジング２１Ａは、図２に示すように、後述する第２係止手段６０Ａを除く下部の輪郭形状が扁平な直方体をなし、前半部分に雄コネクタ１Ａの隔壁７（図３）と係合する欠除部２３を設けて一対の筒状体２４，２４からなる二股状に形成されている。各筒状体２４は、図７に示すように、ソケットコンタクト２２を個別に収容して保持する空所部２５を有し、その空所部２５はソケットハウジング２１Ａの後端まで延び、電線４５に接続したソケットコンタクト２２が後端開口２６から挿入して空所部２５に収容されるようになっている。また、各筒状体２４の前端部には、ピンコンタクト４の接触ピン部１５（図３）の挿通孔２７が設けられている。
【００３１】
一方、両筒状体２４，２４の前端部外側面には、雄コネクタ１Ａのベースハウジング３Ａの内側に設けた第１係止部１１，１１（図３）に係合する第１係止手段２８，２８が設けられている。さらに、図２に示すように、ソケットハウジング２１Ａの後部両側面には、雄コネクタ１Ａのベースハウジング３Ａの内側に設けた案内溝１２，１２（図１）に係合する案内突条２９，２９が突設されている。前記欠除部２３の相対向する両側面は、隔壁７の両側面に対応するように形成されている。
【００３２】
図７のソケットコンタクト２２は、前部に接触ピン部１５（図３）に嵌合するソケット部３２を有し、後部に電線の圧着部３３を有しており、中間部位に抜け止め用のランス３４が設けられている。電線４５に接続したソケットコンタクト２２が後端開口２６から空所部２５に挿入され、図８の側面断面図に示すように、筒状体２４の上壁から下方に突出するようソケットハウジング２１Ａの内側に設けられた段部３５に対し、爪状のランス３４が撓んで乗り越えてもとの高さに戻って係合すると、ソケットコンタクト２２がソケットハウジング２１Ａから抜け止めされ、収容される。このようにして組み立てた雌コネクタ２Ａを分解する必要が生じたときには、雄コネクタ１Ａと嵌合していない状態において、前記接触ピン部１５の挿通孔２７の上方に設けられた挿通孔３７から、ピン状の治具を挿入し、ランス３４を段部３５から下方へ押し離すことにより、ソケットコンタクト２２の抜け止めを解除して、ソケットハウジング２１Ａから引き抜く。
【００３３】
この雌コネクタ２Ａには、図２に示すように、前記第１係止手段２８，２８に加え、前記雄コネクタ１Ａの第２係止部５０Ａ（図１）に係合する第２係止手段６０Ａが設けられている。より具体的には、ソケットハウジング２１Ａが第２係止手段６０Ａを有し、その第２係止手段６０Ａは、前記ソケット部３２（図７）と平行に延出する支軸部６１と、その支軸部６１の前部の左右から後方へ延出して左右方向に可撓である１対のアーム部６２，６２とからなり、ソケットハウジング２１Ａの一部として一体に形成されている。支軸部６１の基部（後部）の下部は、図８に示すように、主に前記筒状体２４，２４の上壁である天板前部３６ａに段差をもって連続する天板後部３６ｂに連続しており、その部分において、支軸部６１ひいては第２係止手段６０Ａ全体が、天板後部３６ｂに片持ちで支持されている。
【００３４】
この第２実施形態の雌コネクタ２Ａが、第１実施形態の雄コネクタ１Ａに挿入、嵌合された状態の側面断面図を図８に、平面断面図を図９に、平面図を図１０に示す。図２の雌コネクタ２Ａの筒状体２４，２４を雄コネクタ１Ａのベースハウジング３Ａの開口部５（図１）から挿入すると、欠除部２３のテーパ面３１，３１（図７）が隔壁７のテーパ面９，９（図３）に係合するとともに、両側の案内突条２９，２９が案内溝１２，１２（図１）に係合して正しい嵌合位置に誘導され、雄コネクタ１Ａの両ピンコンタクト４，４の接触ピン部１５，１５（図３）が挿通孔２７，２７（図７）を通じて各筒状体２４，２４内に進入し、図９に示すように、ソケットコンタクト２２のソケット部３２，３２に嵌合して電気的に接続される。そして、雌コネクタ２Ａの筒状体２４，２４の先端が雄コネクタ１Ａの後側壁６に当接して両コネクタ１Ａ，２Ａの嵌合が完了すると、雌コネクタ２Ａの第１係止手段２８，２８が雄コネクタ１Ａの第１係止部１１，１１に係合することにより、プリント配線板４３（図８）に実装された雄コネクタ１Ａに対し、雌コネクタ２Ａが抜け止めされる。
【００３５】
雌コネクタ２Ａの筒状体２４，２４が雄コネクタ１Ａの開口部５（図１）から挿入されると、上述の動作と並行して、雌コネクタ２Ａの第２係止手段６０Ａの両アーム部６２，６２（図２）が、内側つまり支軸部６１（図２）側に撓みながら雄コネクタ１Ａの両第２係止部５０Ａ，５０Ａ（図１）の間に挿入されていき、両コネクタ１Ａ，２Ａの嵌合が完了すると、図１０に示すように、アーム部６２，６２から外側に突出して設けられた爪６２ａ，６２ａが第２係止部５０Ａ，５０Ａを乗り越え、撓んでいたアーム部６２，６２がもとどおり外側に広がって、爪６２ａ，６２ａが第２係止部５０Ａ，５０Ａの後部５１，５１に係合し、これによっても、雄コネクタ１Ａに対し雌コネクタ２Ａが抜け止めされる。
【００３６】
抜け止めが従来のように第１係止部１１，１１と第１係止手段２８，２８（図９）との係合だけであれば、雄コネクタ１Ａに対し雌コネクタ２Ａに接続された電線４５が抜け止めされた方向（図９、１０の左方向）に強く引かれたような場合に、抜け止めの効果が今一つ十分ではない。しかし、第１、第２実施形態では、図１０に示した第２係止部５０Ａ，５０Ａの後部５１，５１と第２係止手段６０Ａの爪６２ａ，６２ａとの係合状態から明らかなように、そのままでは雄コネクタ１Ａから雌コネクタ２Ａを引き離すことができない。操作者によりアーム部の後部６２ｂ，６２ｂが互いに近づくように内側つまり支軸部６１側に押圧され、アーム部６２，６２が撓んでアーム部の爪６２ａ，６２ａの外端が第２係止部５０Ａ，５０Ａよりも内側に移動することにより、係合が外れ、雄コネクタ１Ａに対し雌コネクタ２Ａを引くことが可能になり、抜け止めが解除される。
【００３７】
第１実施形態の雄コネクタ１Ａまたは第２実施形態の雌コネクタ２Ａによれば、複数の抜け止め機構として第１係止部１１，１１（図９）と第２係止部５０Ａ，５０Ａまたは第１係止手段２８，２８（図９）と第２係止手段６０Ａが設けられているので、抜け止めの効果が向上している。特に、第２係止部５０Ａ，５０Ａの後部５１，５１と第２係止手段６０Ａの爪６２ａ，６２ａとの係合による抜け止めについては、操作者によりアーム部の後部６２ｂ，６２ｂが互いに近づくように押圧されないと解除されない。したがって、雌コネクタ２Ａに接続された電線４５が不慮に引っ張られるようなことがあっても、雌コネクタ２Ａが雄コネクタ１Ａから抜けることはない。
【００３８】
次に、本発明の第３実施形態である雄コネクタについて説明する。図１１の斜視図に示すように、この雄コネクタ１Ｂは、前記第１実施形態の雄コネクタ１Ａ（図１）と比べ、第２係止部５０Ｂの構成が異なるのみであるので、その他の部分については同じ符号を付して説明を省略する。
【００３９】
この雄コネクタ１Ｂには、前記第１係止部１１，１１（図３）に加え、後述する第４実施形態の雌コネクタ２Ｂの第２係止手段６０Ｂ（図１２）を係合させる第２係止部５０Ｂが設けられている。より具体的には、ベースハウジング３Ｂが第２係止部５０Ｂを有し、その第２係止部５０Ｂは、下方に開いたコの字形状で、ベースハウジング３Ｂの天板１４の前部上に、ベースハウジング３Ｂの一部として一体に形成されており、前記接触ピン部１５（図３）と平行に貫通する貫通孔５２が設けられている。
【００４０】
次に、本発明の第４実施形態であり、前記第３実施形態の雄コネクタ１Ｂに挿入、嵌合される雌コネクタについて説明する。図１２の斜視図に示すように、この雌コネクタ２Ｂは、前記第２実施形態の雌コネクタ２Ａ（図２）と比べ、第２係止手段６０Ｂの構成が異なるのみであるので、その他の部分については同じ符号を付して説明を省略する。
【００４１】
この雌コネクタ２Ｂには、前記第１係止手段２８，２８に加え、前記雄コネクタ１Ｂの第２係止部５０Ｂ（図１１）に係合する第２係止手段６０Ｂが設けられている。より具体的には、ソケットハウジング２１Ｂが第２係止手段６０Ｂを有し、その第２係止手段６０Ｂは、前記ソケット部３２（図７）と平行に延出する板状で上下方向に可撓であり、先端部６３には上方に突出する爪６３ａが設けられ、ソケットハウジング２１Ｂの一部として一体に形成されている。第２係止手段６０Ｂの基部（後部）の下部は、図１３の側面図に示すように、主に前記筒状体２４，２４（図１２）の上壁である天板前部３６ａに段差をもって連続する天板後部３６ｂに連続しており、その部分において、第２係止手段６０Ｂ全体が、天板後部３６ｂに片持ちで支持されている。
【００４２】
この第４実施形態の雌コネクタ２Ｂが、第３実施形態の雄コネクタ１Ｂに挿入、嵌合された状態の側面図を図１３に、平面図を図１４に示す。図１２の雌コネクタ２Ｂの筒状体２４，２４を雄コネクタ１Ｂのベースハウジング３Ｂの開口部５（図１１）から挿入すると、欠除部２３のテーパ面３１，３１（図７）が隔壁７のテーパ面９，９（図３）に係合するとともに、両側の案内突条２９，２９が案内溝１２，１２（図１１）に係合して正しい嵌合位置に誘導され、雄コネクタ１Ｂの両ピンコンタクト４，４の接触ピン部１５，１５（図３）が挿通孔２７，２７（図７）を通じて各筒状体２４，２４内に進入し、図９に示すように、ソケットコンタクト２２のソケット部３２，３２に嵌合して電気的に接続される。そして、雌コネクタ２Ｂの筒状体２４，２４の先端が雄コネクタ１Ｂの後側壁６に当接して両コネクタ１Ｂ，２Ｂの嵌合が完了すると、雌コネクタ２Ｂの第１係止手段２８，２８が雄コネクタ１Ｂの第１係止部１１，１１に係合することにより、プリント配線板４３（図１３）に実装された雄コネクタ１Ｂに対し、雌コネクタ２Ｂが抜け止めされる。
【００４３】
図１２の雌コネクタ２Ｂの筒状体２４，２４が雄コネクタ１Ｂの開口部５（図１１）から挿入されると、上述の動作と並行して、雌コネクタ２Ｂの第２係止手段６０Ｂが、下方に撓みながら雄コネクタ１Ｂの第２係止部５０Ｂの貫通孔５２（図１１）に挿入されていき、図１３に示すように、両コネクタ１Ｂ，２Ｂの嵌合が完了すると、先端部６３から上方に突出して設けられた爪６３ａが貫通孔５２を貫通して後方に出て、撓んでいた第２係止手段６０Ｂがもとどおり水平になって、爪６３ａが第２係止部５０Ｂの後縁に係合し、これによっても、雄コネクタ１Ｂに対し雌コネクタ２Ｂが抜け止めされる。
【００４４】
抜け止めが従来のように第１係止部１１，１１と第１係止手段２８，２８（図９）との係合だけであれば、雄コネクタ１Ｂに対し雌コネクタ２Ｂに接続された電線４５が抜け止めされた方向（図９、１０の左方向）に強く引かれたような場合に、抜け止めの効果が今一つ十分ではない。しかし、第３、第４実施形態では、図１３に示した第２係止部５０Ｂと第２係止手段６０Ｂの爪６３ａとの係合状態から明らかなように、そのままでは雄コネクタ１Ｂから雌コネクタ２Ｂを引き離すことができない。操作者により第２係止手段６０Ｂの先端部６３が下方に押圧され、第２係止手段６０Ｂが撓んで先端部６３の爪６３ａの上端が第２係止部５０Ｂの貫通孔５２の上縁よりも下方に移動することにより、係合が外れ、雄コネクタ１Ｂに対し雌コネクタ２Ｂを引くことが可能になり、抜け止めが解除される。
【００４５】
第３実施形態の雄コネクタ１Ｂまたは第４実施形態の雌コネクタ２Ｂによれば、複数の抜け止め機構として第１係止部１１，１１（図９）と第２係止部５０Ｂまたは第１係止手段２８，２８（図９）と第２係止手段６０Ｂが設けられているので、抜け止めの効果が向上している。特に、第２係止部５０Ｂと第２係止手段６０Ｂの爪６３ａとの係合による抜け止めについては、操作者により第２係止手段６０Ｂの先端部６３が下方に押圧されないと解除されない。したがって、雌コネクタ２Ｂに接続された電線４５が不慮に引っ張られるようなことがあっても、雌コネクタ２Ｂが雄コネクタ１Ｂから抜けることはない。
【００４６】
次に、本発明の第５実施形態である雄コネクタについて説明する。図１５の斜視図に示すように、この雄コネクタ１Ｃは、前記第１実施形態の雄コネクタ１Ａ（図１）と比べると、ベースハウジング３Ｃが第２係止部を有しておらず、図１７に示すように、ピンコンタクト４Ｃが第２係止部５０Ｃを有するという構成が異なるのみであるので、その他の部分については同じ符号を付して説明を省略する。
【００４７】
図１９の側面断面図に示すように、この雄コネクタ１Ｃには、前記第１係止部１１，１１（図３）に加え、後述する第６実施形態の雌コネクタ２Ｃの第２係止手段６０Ｃ（図１７）を係合させる第２係止部５０Ｃが設けられている。より具体的には、図１７に示すように、ピンコンタクト４Ｃが第２係止部５０Ｃを有している。なお、図１９、図２１Ａ〜２１Ｄでは、はんだ付け部分１９Ｃ以外のピンコンタクト４Ｃの後部を破断除去している。
【００４８】
図１７のピンコンタクト４Ｃは、銅や銅合金（黄銅など）の導電性金属板を打抜き曲げ加工して作製され、接触ピン部１５Ｃの後端に水平方向幅広の取付部１６Ｃが連設されていて、その取付部１６Ｃの後部に連設されるリード部１８Ｃ，１９Ｃが、互いに反対向きの横外側でかつ下方へ屈曲して延びる脚部分１８Ｃと、その脚部分１８Ｃの下端から後方へ屈曲して延びるはんだ付け部分１９Ｃとからなっている。第２係止部５０Ｃは、接触ピン部１５Ｃの上方で平行に延出するピン状で、先端部５３が側方に延出している。その第２係止部５０Ｃの後端に水平方向幅広の上部取付部５４が連設されていて、その上部取付部５４の後端からは中間部５５が後方へ延び、その中間部５５の後端からは後部脚部分５６がＳ字状に屈曲して下方へ延び、前記はんだ付け部分１９Ｃの後端に連続している。つまり、第２係止部５０Ｃは、上部取付部５４、中間部５５、後部脚部分５６、はんだ付け部分１９Ｃ、脚部分１８Ｃおよび取付部１６Ｃを介して、接触ピン部１５Ｃと一体に形成され、それら全体でピンコンタクト４Ｃを構成している。
【００４９】
そして、図１９に示すように、ピンコンタクト４Ｃは、その取付部１６Ｃおよび上部取付部５４を後側壁６Ｃに貫通状態に保持固定させている。高電圧による障害を防止するための両接触ピン部１５Ｃ，１５Ｃや両はんだ付け部分１９Ｃ，１９Ｃの配置については、第１実施形態の雄コネクタ１Ａ（図３）で説明したのと同様である。
【００５０】
次に、本発明の第６実施形態であり、前記第５実施形態の雄コネクタ１Ｃに挿入、嵌合される雌コネクタについて説明する。図１６の斜視図に示すように、この雌コネクタ２Ｃは、前記第２実施形態の雌コネクタ２Ａ（図２）と比べると、ソケットハウジング２１Ｃが第２係止部を有しておらず、図１７に示すように、ソケットコンタクト２２Ｃが第２係止部６０Ｃを有するという構成が異なるのみであるので、その他の部分については同じ符号を付して説明を省略する。なお、図１７では、ソケットコンタクト２２Ｃのランス３４よりも後の部分を破断除去している。
【００５１】
図２０の側面断面図に示すように、この雌コネクタ２Ｃには、前記第１係止手段２８，２８（図１６）に加え、前記雄コネクタ１Ｃの第２係止部５０Ｃ（図１７）を係合する第２係止手段６０Ｃが設けられている。より具体的には、図１７に示すように、ソケットコンタクト２２Ｃが第２係止手段６０Ｃを有している。
【００５２】
第２係止手段６０Ｃは、ソケット部３２Ｃの上方で、ランス３４の基部（前部）から前方へ延びる板状で、先端部６４が側方に延出し、その延出した後部には上方へ突出する１対の爪６４ａが設けられている。第２係止手段６０Ｃは、ランス３４やソケット部３２Ｃとともに、ソケットコンタクト２２Ｃの一部として一体に形成されている。図２０に示すように、電線４５に接続したソケットコンタクト２２Ｃは、後端開口２６から空所部２５に挿入され、ランス３４によりソケットハウジング２１Ｃから抜け止めされるが、ソケット部３２Ｃの延出方向（図２０の左右方向）に遊びＬをもってソケットハウジング２１Ｃに収容される。図２０の第２係止手段６０Ｃの先端部６４近傍を破断して下方から斜視した図１８に示すように、ソケットハウジング２１Ｃの各筒状体２４の内側左右には（図１８では右側のみ示す）、第２係止手段６０Ｃの先端部６４に当接する斜面をもつ押圧部３８が形成されており、その斜面は、前方にいくにつれ下がっている（下方から見る図１８では上がって見える）。
【００５３】
図１６の第６実施形態の雌コネクタ２Ｃが、第５実施形態の雄コネクタ１Ｃ（図１５）かに挿入、嵌合されていく状態の側面断面図を段階を追って図２１Ａ〜２１Ｃに示す。図１６の雌コネクタ２Ｃの筒状体２４，２４を雄コネクタ１Ｃのベースハウジング３Ｃの開口部５（図１５）から挿入すると、欠除部２３のテーパ面３１，３１（図７）が隔壁７のテーパ面９，９（図３）に係合するとともに、両側の案内突条２９，２９が案内溝１２，１２（図１５）に係合して正しい嵌合位置に誘導され、雄コネクタ１Ｃの両ピンコンタクト４Ｃ，４Ｃの接触ピン部１５Ｃ，１５Ｃ（図３の１５参照）が挿通孔２７，２７（図７）を通じて各筒状体２４，２４内に進入し、図９に示すように、ソケットコンタクト２２Ｃのソケット部３２Ｃ，３２Ｃ（図９の３２参照）に嵌合して電気的に接続される。そして、雌コネクタ２Ｃの筒状体２４，２４の先端が雄コネクタ１Ｃの後側壁６Ｃ（図９の６参照）に当接して両コネクタ１Ｃ，２Ｃの嵌合が完了すると、雌コネクタ２Ｃの第１係止手段２８，２８が雄コネクタ１Ｃの第１係止部１１，１１に係合することにより、プリント配線板４３（図２１Ｃ）に実装された雄コネクタ１Ｃに対し、雌コネクタ２Ｃが抜け止めされる。
【００５４】
図１６の雌コネクタ２Ｃの筒状体２４，２４が雄コネクタ１Ｃの開口部５（図１５）から挿入されると、上述の動作と並行して、まず、図２１Ａに示すように、雌コネクタ２Ｃの前述した治具の挿通孔３７から、雄コネクタ１Ｃの第２係止部５０Ｃがソケットハウジング２１Ｃ内に進入し、雌コネクタ２Ｃの第２係止手段６０Ｃにおける先端部６４の爪６４ａの上部が、雄コネクタ１Ｃの第２係止部５０Ｃにおける先端部５３の下部に当接する。さらに雌コネクタ２Ｃが挿入されると、図２１Ｂに示すように、雌コネクタ２Ｃの第２係止手段６０Ｃが下方に撓み、先端部６４の爪６４ａは、第２係止部５０Ｃの先端部５３の直下に位置する。さらに雌コネクタ２Ｃが挿入されて両コネクタ１Ｃ，２Ｃの嵌合が完了すると、図２１Ｃに示すように、第２係止手段６０Ｃの先端部６４が、第２係止部５０Ｃの先端部５３の後方に出て、撓んでいた第２係止手段６０Ｃがもとどおり水平になって、爪６４ａが第２係止部５０Ｃの先端部５３の後縁に係合し、これによっても、雄コネクタ１Ｃに対し雌コネクタ２Ｃが抜け止めされる。
【００５５】
抜け止めが従来のように第１係止部１１，１１と第１係止手段２８，２８（図９）との係合だけであれば、雄コネクタ１Ｃに対し雌コネクタ２Ｃに接続された電線４５が抜け止めされた方向（図９、１０の左方向）に強く引かれ引かれたような場合に、抜け止めの効果が今一つ十分ではない。しかし、第５、第６実施形態では、図２１Ｃに示した第２係止部５０Ｃの先端部５３と第２係止手段６０Ｃの先端部６４の爪６４ａとの係合状態から明らかなように、雌コネクタ２Ｃに接続された電線４５を引くだけでは雄コネクタ１Ｃから雌コネクタ２Ｃを引き離すことができない。雄コネクタ１Ｃに対して抜け止めされた方向（図２１Ｃの左方向）にソケットハウジング２１Ｃが操作者により直接把持されて引かれると、図２１Ｄに示すように、前記遊びＬの範囲でソケットハウジング２１Ｃがソケットコンタクト２２Ｃに対して左方向に移動され、ソケットハウジング２１Ｃの内側に設けられた前記押圧部３８が第２係止手段６０Ｃの先端部６４を第２係止部５０Ｃの先端部５３から下方へ押し離すことにより、係合が外れ、雄コネクタ１Ｃから雌コネクタ２Ｃを引き離すことが可能になり、抜け止めが解除される。
【００５６】
第５実施形態の雄コネクタ１Ｃまたは第６実施形態の雌コネクタ２Ｃによれば、複数の抜け止め機構として第１係止部１１，１１（図９）と第２係止部５０Ｃまたは第１係止手段２８，２８（図９）と第２係止手段６０Ｃが設けられているので、抜け止めの効果が向上している。特に、第２係止部５０Ｃの先端部５３と第２係止手段６０Ｃの先端部６４の爪６４ａとの係合による抜け止めについては、操作者によりソケットハウジング２１Ｃが直接把持されて引かれないと解除されない。したがって、雌コネクタ２Ｃに接続された電線４５が不慮に引っ張られるようなことがあっても、雌コネクタ２Ｃが雄コネクタ１Ｃから抜けることはない。
【００５７】
なお、第５実施形態の雄コネクタ１Ｃの第２係止部５０Ｃの先端部５３は、従来の雌コネクタも有する治具の挿通孔３７からソケットハウジング２１Ｃ内に挿入されるので、第５実施形態の雄コネクタ１Ｃは、第６実施形態の雌コネクタ２Ｃに限らず、従来の雌コネクタを挿入して嵌合させることもできる。同様に、第６実施形態の雌コネクタ２Ｃは、従来の雄コネクタに挿入して嵌合させることもできる。
【００５８】
次に、本発明の第７実施形態である雄コネクタについて説明する。図２２の斜視図に示すように、この雄コネクタ１Ｄは、前記第１実施形態の雄コネクタ１Ａ（図１）と比べ、第２係止部５０Ｄの構成が異なるのみであるので、その他の部分については同じ符号を付して説明を省略する。
【００５９】
この雄コネクタ１Ｄには、前記第１係止部１１，１１（図３）に加え、後述する第８実施形態の雌コネクタ２Ｄの第２係止手段６０Ｄ（図２３）を係合させる第２係止部５０Ｄが設けられている。より具体的には、ベースハウジング３Ｄが第２係止部５０Ｄを有し、その第２係止部５０Ｄは、ベースハウジング３Ｄの天板１４の前部（すなわち開口部５側）の中央部上に、ベースハウジング３Ｄの一部として一体に形成されており、ベースハウジング３Ｄの天板１４の左右方向の一部にわたって天板１４から上方に突出している。第２係止部５０Ｄは、天板１４の左右方向全体にわたって天板１４から上方に突出していてもよい。また、第２係止部５０Ｄの前面５７は、後方にいくほど高くなる斜面になっている。この第７実施形態の第１例では、第２係止部５０Ｄは、側面視で台形であり、前端が天板１４の前端に一致しているが（図２５Ａ）、図２５Ｂに示す第２例のように、側面視で三角形であってもよいし、前端が天板１４の前端よりも後方にあってもよい。さらに、側面視で五角形などであってもよい。
【００６０】
図２５Ａに示す第７実施形態の第１例では、第２係止部５０Ｄの後面５８が空間を挟んでベースハウジング３Ｄの天板１４となす角αが、鋭角である。「空間を挟んで」とは、すなわち「雄コネクタ１Ｄにとって後回りに（図２５Ａでは右回りに）測定して」という意味であり、図２５Ｂの第２例でも同様に鋭角である。つまり、第２係止部５０Ｄが、雄コネクタ１Ｄからの雌コネクタ２Ｄの引き抜きに対し、「かえし（barb）」の付いた形状になっている。しかし、この角αについては、理由は後述するが、図２７Ａに示す第３例のように、第２係止部５０Ｄの後面５８の少なくとも上部５８ａが、空間を挟んでベースハウジング３Ｄの天板１４と鈍角または直角、特に鈍角をなすことが好ましい。図２７Ｂに示す第４例のように、第２係止部５０Ｄの後面５８全体が、空間を挟んでベースハウジング３Ｄの天板１４と鈍角または直角、特に鈍角をなしてもよい。
【００６１】
次に、本発明の第８実施形態であり、前記第７実施形態の雄コネクタ１Ｄに挿入、嵌合される雌コネクタについて説明する。図２３の斜視図に示すように、この雌コネクタ２Ｄは、前記第２実施形態の雌コネクタ２Ａ（図２）と比べ、第２係止手段６０Ｄの構成が異なるのみであるので、その他の部分については同じ符号を付して説明を省略する。
【００６２】
この雌コネクタ２Ｄには、前記第１係止手段２８，２８に加え、前記雄コネクタ１Ｄの第２係止部５０Ｄ（図２２）に係合する第２係止手段６０Ｄが設けられている。より具体的には、ソケットハウジング２１Ｄが第２係止手段６０Ｄを有し、その第２係止手段６０Ｄは、前記ソケット部３２（図７）と平行に延出する板状の可動部６５と、ソケットハウジング２１Ｄの前記天板後部３６ｂから上方に延出して、可動部６５の前後方向の中間を、左右方向に延びる支軸Ｐで支持する脚部６６とをもっており、ソケットハウジング２１Ｄの一部として一体に形成されている。第２係止手段６０Ｄの可動部６５の先端部６７には下方に突出して爪６７ａが設けられており、可動部６５の後端部６８が下方に押圧されると、シーソーのように、可動部６５が支軸Ｐを中心に回転して爪６７ａを含めた先端部６７が上方に移動する。
【００６３】
理由は後述するが、図２５Ａに示す第８実施形態の第１例のように、先端部６７の爪６７ａが前記第２係止部５０Ｄに係合した状態で、すなわち可動部６５が水平な状態で、先端部６７の爪６７ａの後面６９の少なくとも下部６９ａが雌コネクタ２Ｄにとって後回りに（図２５Ａでは左回りに）測定してソケットハウジング２１Ｄの前記天板前部３６ａとなす角βが、鋭角であることが好ましい。この角βについては、図２５Ｃに示す第２例のように、先端部６７の爪６７ａの後面６９全体が、後回りに測定してソケットハウジング２１Ｄの天板前部３６ａと鋭角をなしてもよい。
【００６４】
また、図２５Ｄに示す第３例のように、先端部６７の爪６７ａの後面６９の少なくとも下部６９ａが後回りに測定してソケットハウジング２１Ｄの天板前部３６ａと直角をなすことも好ましい。さらに、図２５Ｅに示す第４例のように、先端部６７の爪６７ａの後面６９全体が、後回りに測定してソケットハウジング２１Ｄの天板前部３６ａと直角をなしてもよい。ただし、これらに限定されず、図２６Ａに示す第５例のように、先端部６７の爪６７ａの後面６９が、後回りに測定してソケットハウジング２１Ｄの天板前部３６ａと鈍角をなすようにすることもできる。つまり、第２係止手段６０Ｄの先端部６７の爪６７ａを、雄コネクタ１Ｄからの雌コネクタ２Ｄの引き抜きに対し、「かえし」の付いた形状にすることもできる。
【００６５】
図２３に示す第８実施形態の第１例の雌コネクタ２Ｄが、図２２に示す第７実施形態の第１例の雄コネクタ１Ｄに挿入、嵌合された状態の側面図を図２４に示す。図２３の雌コネクタ２Ｄの筒状体２４，２４を雄コネクタ１Ｄのベースハウジング３Ｄの開口部５（図２２）から挿入すると、欠除部２３のテーパ面３１，３１（図７）が隔壁７のテーパ面９，９（図３）に係合するとともに、両側の案内突条２９，２９が案内溝１２，１２（図１１）に係合して正しい嵌合位置に誘導され、雄コネクタ１Ｄの両ピンコンタクト４，４の接触ピン部１５，１５（図３）が挿通孔２７，２７（図７）を通じて各筒状体２４，２４内に進入し、図９に示すように、ソケットコンタクト２２のソケット部３２，３２に嵌合して電気的に接続される。そして、雌コネクタ２Ｄの筒状体２４，２４の先端が雄コネクタ１Ｄの後側壁６に当接して両コネクタ１Ｄ，２Ｄの嵌合が完了すると、雌コネクタ２Ｄの第１係止手段２８，２８が雄コネクタ１Ｄの第１係止部１１，１１に係合することにより、プリント配線板４３（図２４）に実装された雄コネクタ１Ｄに対し、雌コネクタ２Ｄが抜け止めされる。
【００６６】
図２３の雌コネクタ２Ｄの筒状体２４，２４が雄コネクタ１Ｄの開口部５（図２２）から挿入されると、上述の動作と並行して、雌コネクタ２Ｄの第２係止手段６０Ｄの可動部６５が、その先端部６７が上方に移動するように、支軸Ｐを中心に回転して傾きつつ撓んで、先端部６７の爪６７ａが第２係止部５０Ｄの上面に接しながら進み、図２４に示すように、両コネクタ１Ｄ，２Ｄの嵌合が完了すると、先端部６７の爪６７ａが第２係止部５０Ｄを乗り越え、可動部６５がもとどおり水平になって、爪６７ａが第２係止部５０Ｄの後面５８に係合し、これによっても、雄コネクタ１Ｄに対し雌コネクタ２Ｄが抜け止めされる。
【００６７】
抜け止めが従来のように第１係止部１１，１１と第１係止手段２８，２８（図９）との係合だけであれば、雄コネクタ１Ｄに対し雌コネクタ２Ｄに接続された電線４５が抜け止めされた方向（図２４の左方向）に強く引かれたような場合に、抜け止めの効果が今一つ十分ではない。しかし、上述の第７実施形態の雄コネクタ１Ｄまたは第８実施形態の雌コネクタ２Ｄのどの例によっても、複数の抜け止め機構として第１係止部１１，１１（図９）と第２係止部５０Ｄまたは第１係止手段２８，２８（図９）と第２係止手段６０Ｄが設けられているので、抜け止めの効果が向上しており、雌コネクタ２Ｄに接続された電線４５が不慮に引っ張られるようなことがあっても、雌コネクタ２Ｄが雄コネクタ１Ｄから抜けることはない。
【００６８】
さて、前述したように、図１０に示した第１実施形態の雄コネクタ１Ａおよび第２実施形態の雌コネクタ２Ａでは、抜け止めするときも、抜け止めを解除するときも、雌コネクタ２Ａの第２係止手段６０Ａにおけるアーム部６２，６２の撓みを利用している。図１３に示した第３実施形態の雄コネクタ１Ｂおよび第４実施形態の雌コネクタ２Ｂでも同様に、抜け止めするときも、抜け止めを解除するときも、雌コネクタ２Ｂの第２係止手段６０Ｂの撓みを利用している。したがって、これらのコネクタ１Ａと２Ａ，１Ｂと２Ｂでは、抜け止めがスムーズにできれば、抜け止めの解除もスムーズにできるのが通常である。
【００６９】
これに対し、図２４に示した第７実施形態の雄コネクタ１Ｄおよび第８実施形態の雌コネクタ２Ｄでは、抜け止めするときには、雌コネクタ２Ｄの第２係止手段６０Ｄにおける可動部６５の、支軸Ｐを中心とする回転（傾き）と支軸Ｐを固定端とする撓みの両方を利用するが、抜け止めを解除するときには、可動部６５の後端部６８を下方に押圧することによって、先端部６７の爪６７ａを上方に移動させる。つまり、抜け止めを解除するときには、可動部６５の支軸Ｐを中心とする回転のみを利用する。したがって、抜け止めがスムーズにできても、抜け止めの解除が同程度にスムーズにできるとは限らない。この点について以下に詳述する。
【００７０】
図２６Ａに示す第７実施形態の第１例の雄コネクタ１Ｄおよび第８実施形態の第５例の雌コネクタ２Ｄの組み合わせで説明すると、通常、両コネクタ１Ｄ，２Ｄの嵌合が完了した状態で、第２係止部５０Ｄの後面５８と第２係止手段６０Ｄの先端部６７に設けられた爪６７ａの後面６９とが接触しない程度の遊びが設けられている。しかし、抜け止めを解除して雄コネクタ１Ｄから雌コネクタ２Ｄを引き抜こうとするときには、図２６Ｂに示すように遊びのない状態になりがちである。抜け止めを解除するには、可動部６５の後端部６８を下方に押圧することによって、可動部６５を支軸Ｐを中心に回転させ、先端部６７の爪６７ａを上方に移動させる必要があるが、図２６Ｂのように、第２係止部５０Ｄと第２係止手段６０Ｄの先端部６７の爪６７ａとの両方が「かえし」の付いた形状であると、遊びのない状態では、第２係止部５０Ｄの後面５８が障害となって、第２係止手段６０Ｄの先端部６７の爪６７ａを、支軸Ｐを中心に回転させることが困難または不可能である。
【００７１】
「かえし」や遊びの程度によって、図２６Ｃに示すように、先端部６７の爪６７ａをある程度上方に移動させることはできるが、爪６７ａの下端を第２係止部５０Ｄの上端よりも上方に移動させることができなければ、やはり、抜け止めは解除できず、雄コネクタ１Ｄから雌コネクタ２Ｄを引き抜くことができない。後述するように、この状態（可動部６５の後端部６８が下方に押圧されているが、爪６７ａの下端が第２係止部５０Ｄの上端よりも下方にある状態）で雄コネクタ１Ｄから雌コネクタ２Ｄを引き抜くためには、先端部６７の爪６７ａの後面６９が、空間を挟んでソケットハウジング２１Ｄの天板前部３６ａとなす角γが鋭角である必要があるが、可動部６５の後端部６８が下方に押圧される前の水平な状態で鈍角であった角β（図２６Ａ、図２６Ｂ）が、押圧による可動部６５のわずかな回転で鋭角のγになることはほとんどないからである。したがって、第７実施形態の第１例の雄コネクタ１Ｄおよび第８実施形態の第５例の雌コネクタ２Ｄを組み合わせてコネクタセットとすることは、あまり好ましいとはいえない。
【００７２】
本発明における好ましいコネクタセットの実施形態としては、図２５Ａに示した第７実施形態の第１例の雄コネクタ１Ｄおよび第８実施形態の第１例の雌コネクタ２Ｄを組み合わせたものが挙げられる。このコネクタセット１Ｄ，２Ｄでは、第２係止部５０Ｄだけが「かえし」の付いた形状で、第２係止部５０Ｄの後面５８と第２係止手段６０Ｄの先端部６７に設けられた爪６７ａの後面６９とが接触する、遊びのない状態であっても、可動部６５の後端部６８を下方に押圧することによって、第２係止手段６０Ｄの先端部６７の爪６７ａを、支軸Ｐを中心に回転させるにあたり、第２係止部５０Ｄの後面５８が障害にならず、爪６７ａの下端を第２係止部５０Ｄの上端よりも上方に移動させることが容易で、抜け止めを解除して、雄コネクタ１Ｄから雌コネクタ２Ｄを引き抜くことができる。
【００７３】
仮に、図２５Ｆに示すように、爪６７ａの下端を第２係止部５０Ｄの上端よりも上方に移動させることができなくても、可動部６５の後端部６８が下方に押圧された状態で、先端部６７の爪６７ａの後面６９の少なくとも下部６９ａが、空間を挟んでソケットハウジング２１Ｄの天板前部３６ａとなす角γが鋭角となり、「かえし」の付いていない形状であるので、そのまま雄コネクタ１Ｄに対して雌コネクタ２Ｄを引くと、係合したときとは逆の動作で、爪６７の後面下部６９ａが第２係止部５０Ｄの上後端に接しながら、爪６７ａが上後方に移動し、爪６７ａの下端が第２係止部５０Ｄの上面に乗って係合が外れる。つまり、抜け止めが解除され、雄コネクタ１Ｄから雌コネクタ２Ｄを引き抜くことができる。このような好ましいコネクタセットの実施形態の他の例として、図２５Ｂ〜図２５Ｅに示した雄コネクタ１Ｄおよび雌コネクタ２Ｄの組み合わせも挙げられる。
【００７４】
本発明における好ましいコネクタセットの別の実施形態として、図２７Ａに示した第７実施形態の第３例の雄コネクタ１Ｄおよび第８実施形態の第５例の雌コネクタ２Ｄを組み合わせたものが挙げられる。このコネクタセット１Ｄ，２Ｄでは、第２係止手段６０Ｄの先端部６７の爪６７ａだけが「かえし」の付いた形状で、第２係止部５０Ｄの後面５８と第２係止手段６０Ｄの先端部６７に設けられた爪６７ａの後面６９とが接触する、遊びのない状態であっても、可動部６５の後端部６８を下方に押圧することによって、第２係止手段６０Ｄの先端部６７の爪６７ａを、支軸Ｐを中心に回転させるにあたり、第２係止部５０Ｄの後面５８が障害にならず、爪６７ａの下端を第２係止部５０Ｄの上端よりも上方に移動させることが容易で、抜け止めを解除して、雄コネクタ１Ｄから雌コネクタ２Ｄを引き抜くことができる。
【００７５】
図示しないが、仮に、爪６７ａの下端を第２係止部５０Ｄの上端よりも上方に移動させることができなくても、第２係止部５０Ｄの後面５８の少なくとも上部５８ａが、空間を挟んでベースハウジング２１Ｄの天板前部３６ａとなす角αが鈍角であり、「かえし」の付いていない形状であるので、そのまま雄コネクタ１Ｄに対して雌コネクタ２Ｄを引くと、係合したときとは逆の動作で、爪６７の後面６９下端が第２係止部５０Ｄの後面上部５８ａに接しながら、爪６７ａが上後方に移動し、爪６７ａの下端が第２係止部５０Ｄの上面に乗って係合が外れる。つまり、抜け止めが解除され、雄コネクタ１Ｄから雌コネクタ２Ｄを引き抜くことができる。このような好ましいコネクタセットの実施形態の他の例として、図２７Ｂに示した雄コネクタ１Ｄおよび雌コネクタ２Ｄの組み合わせも挙げられる。
【図面の簡単な説明】
【００７６】
【図１】本発明の第１実施形態である雄コネクタの斜視図である。
【図２】本発明の第２実施形態である雌コネクタの斜視図である。
【図３】第１実施形態の雄コネクタの平面断面図である。
【図４】第１実施形態の雄コネクタの図３におけるIV−IV断面図である。
【図５】第１実施形態の雄コネクタの図３におけるＶ−Ｖ断面図である。
【図６】第１実施形態の雄コネクタのピンコンタクトの斜視図である。
【図７】第２実施形態の雌コネクタの平面断面図である。
【図８】第１実施形態の雄コネクタに第２実施形態の雌コネクタが挿入、嵌合された状態の側面断面図である。
【図９】同状態の平面断面図である。
【図１０】同状態の平面図である。
【図１１】本発明の第３実施形態である雄コネクタの斜視図である。
【図１２】本発明の第４実施形態である雌コネクタの斜視図である。
【図１３】第３実施形態の雄コネクタに第４実施形態の雌コネクタが挿入、嵌合された状態の側面図である。
【図１４】同状態の平面図である。
【図１５】本発明の第５実施形態である雄コネクタの斜視図である。
【図１６】本発明の第６実施形態である雌コネクタの斜視図である。
【図１７】第５実施形態の雄コネクタのピンコンタクトと第６実施形態の雌コネクタのソケットコンタクトを対向させた斜視図である。
【図１８】第６実施形態の雌コネクタにおける第２係止手段の先端部近傍を破断して下方から斜視した図である。
【図１９】第５実施形態の雄コネクタの側面断面図である。
【図２０】第６実施形態の雌コネクタの側面断面図である。
【図２１Ａ】第５実施形態の雄コネクタに第６実施形態の雌コネクタが挿入された状態の側面断面図である。
【図２１Ｂ】図２１Ａからさらに挿入が進んだ状態の側面断面図である。
【図２１Ｃ】図２１Ｂからさらに挿入が進んで、嵌合が完了した状態の側面断面図である。
【図２１Ｄ】図２１Ｃの嵌合の抜け止めが解除される状態の側面断面図である。
【図２２】本発明の第７実施形態である雄コネクタの斜視図である。
【図２３】本発明の第８実施形態である雌コネクタの斜視図である。
【図２４】第７実施形態の雄コネクタの第１例に第８実施形態の雌コネクタの第１例が挿入、嵌合された状態の側面図である。
【図２５Ａ】同状態における第２係止部および第２係止手段を示す側面拡大図である。
【図２５Ｂ】第７実施形態の雄コネクタの第２例に第８実施形態の雌コネクタの第１例が挿入、嵌合された状態における、第２係止部および第２係止手段を示す側面拡大図である。
【図２５Ｃ】第７実施形態の雄コネクタの第１例に第８実施形態の雌コネクタの第２例が挿入、嵌合された状態における、第２係止部および第２係止手段を示す側面拡大図である。
【図２５Ｄ】第７実施形態の雄コネクタの第１例に第８実施形態の雌コネクタの第３例が挿入、嵌合された状態における、第２係止部および第２係止手段を示す側面拡大図である。
【図２５Ｅ】第７実施形態の雄コネクタの第１例に第８実施形態の雌コネクタの第４例が挿入、嵌合された状態における、第２係止部および第２係止手段を示す側面拡大図である。
【図２５Ｆ】第７実施形態の雄コネクタの第１例に第８実施形態の雌コネクタの第１例が挿入、嵌合された後、第２係止手段の可動部の後端部が下方に押圧された状態における、第２係止部および第２係止手段を示す側面拡大図である。
【図２６Ａ】第７実施形態の雄コネクタの第１例に第８実施形態の雌コネクタの第５例が挿入、嵌合された状態における、互いに接触していない第２係止部および第２係止手段を示す側面拡大図である。
【図２６Ｂ】第７実施形態の雄コネクタの第１例に第８実施形態の雌コネクタの第５例が挿入、嵌合された状態における、互いに接触している第２係止部および第２係止手段を示す側面拡大図である。
【図２６Ｃ】第７実施形態の雄コネクタの第１例に第８実施形態の雌コネクタの第５例が挿入、嵌合された後、第２係止手段の可動部の後端部が下方に押圧された状態における、第２係止部および第２係止手段を示す側面拡大図である。
【図２７Ａ】第７実施形態の雄コネクタの第３例に第８実施形態の雌コネクタの第５例が挿入、嵌合された状態における、第２係止部および第２係止手段を示す側面拡大図である。
【図２７Ｂ】第７実施形態の雄コネクタの第４例に第８実施形態の雌コネクタの第５例が挿入、嵌合された状態における、第２係止部および第２係止手段を示す側面拡大図である。
【符号の説明】
【００７７】
１  雄コネクタ
２  雌コネクタ
３  ベースハウジング
４  ピンコンタクト
５  開口部
７  隔壁
８  隔壁の基部平行面
９  隔壁のテーパ面
１０  ベースハウジングの側壁
１１  第１係止部
１４  ベースハウジングの天板
１５  接触ピン部
１５ａ  接触ピン部の先端
１７，１８，１９  リード部
１９  はんだ付け部分
２１  ソケットハウジング
２２  ソケットコンタクト
２３  ソケットハウジングの欠除部
２８  第１係止手段
３０  欠除部の開口部平行面
３１  欠除部のテーパ面
３２  ソケット部
３４  ランス
３５  段部
３７  治具の挿通孔
３８  押圧部
４３  プリント配線板
５０  第２係止部
５１  第２係止部の後部
５２  第２係止部の貫通孔
５３  第２係止部の先端部
５７  第２係止部の前面
５８  第２係止部の後面
５８ａ  第２係止部の後面の上部
６０  第２係止手段
６１  第２係止手段の支軸部
６２  第２係止手段のアーム部
６２ａ  アーム部の爪
６２ｂ  アーム部の後部
６３，６４  第２係止手段の先端部
６３ａ，６４ａ  第２係止手段の先端部の爪
６５  第２係止手段の可動部
６６  第２係止手段の脚部
６７  可動部の先端部
６７ａ  可動部の先端部の爪
６８  可動部の後端部
６９  可動部の先端部の爪の後面
６９ａ  可動部の先端部の爪の後面の下部
Ｃ  ベースハウジングの中心線
Ｌ  遊び
Ｐ  支軸
【図１】
0004705354.tif 000002
【図２】
0004705354.tif 000003
【図３】
0004705354.tif 000004
【図４】
0004705354.tif 000005
【図５】
0004705354.tif 000006
【図６】
0004705354.tif 000007
【図７】
0004705354.tif 000008
【図８】
0004705354.tif 000009
【図９】
0004705354.tif 000010
【図１０】
0004705354.tif 000011
【図１１】
0004705354.tif 000012
【図１２】
0004705354.tif 000013
【図１３】
0004705354.tif 000014
【図１４】
0004705354.tif 000015
【図１５】
0004705354.tif 000016
【図１６】
0004705354.tif 000017
【図１７】
0004705354.tif 000018
【図１８】
0004705354.tif 000019
【図１９】
0004705354.tif 000020
【図２０】
0004705354.tif 000021
【図２１Ａ】
0004705354.tif 000022
【図２１Ｂ】
0004705354.tif 000023
【図２１Ｃ】
0004705354.tif 000024
【図２１Ｄ】
0004705354.tif 000025
【図２２】
0004705354.tif 000026
【図２３】
0004705354.tif 000027
【図２４】
0004705354.tif 000028
【図２５Ａ】
0004705354.tif 000029
【図２５Ｂ】
0004705354.tif 000030
【図２５Ｃ】
0004705354.tif 000031
【図２５Ｄ】
0004705354.tif 000032
【図２５Ｅ】
0004705354.tif 000033
【図２５Ｆ】
0004705354.tif 000034
【図２６Ａ】
0004705354.tif 000035
【図２６Ｂ】
0004705354.tif 000036
【図２６Ｃ】
0004705354.tif 000037
【図２７Ａ】
0004705354.tif 000038
【図２７Ｂ】
0004705354.tif 000039